(57)【要約】【課題】据え置き型２次元コードリーダの読み取り口が上方を向いている場合、２次元コードを照明する照明光が常時点灯または常時点滅すると、照明光が２次元コードリーダの周りにいる人の視界に入る時、不快感を与えるという課題があった。【解決手段】撮像素子は光学的情報からの光によりこの光学的情報を画像情報として取り込み、取り込んだ画像を画像格納部に格納し、すると撮像素子に取り込まれた画像が変化した場合に、光学的情報に投光するための点灯制御を行なうことで前記の課題は解決する。【選択図】　図７
2004005369.tif 000002
【特許請求の範囲】
【請求項１】
光学的情報に投光するための投光部と、前記光学的情報からの光によりこの光学的情報を画像情報として繰り返し取り込む撮像素子と、前記撮像素子に取り込まれた前記画像情報の全画素データの総和と前記画素情報の前に取り込まれた画像情報の全画素データの総和との比が所定範囲を外れた場合に画像が変化したと検知する画像変化検知部と、前記画像変化検知部が画像が変化したと検知した場合に前記投光部の点灯制御を開始する投光制御部とからなる光学的情報読取装置。
【請求項２】
全画素データの総和の比が所定範囲より大きい場合と、小さい場合で、投光制御部は異なった点灯制御を行なう請求項１に記載の光学的情報読取装置。
【請求項３】
光学的情報に投光するための投光部と、前記光学的情報からの光によりこの光学的情報を画像情報として繰り返し取り込む撮像素子と、前記撮像素子に取り込まれた前記画像情報の特定位置の画素データの総和と前記画素情報の前に取り込まれた画像情報の前記特定位置の画素データの総和との比が所定範囲を外れた場合に画像が変化したと検知する画像変化検知部と、前記画像変化検知部が画像が変化したと検知した場合に前記投光部の点灯制御を開始する投光制御部とからなる光学的情報読取装置。
【請求項４】
特定位置の画素データの総和の比が所定範囲より大きい場合と、小さい場合で、投光制御部は異なった点灯制御を行なう請求項４に記載の光学的情報読取装置。
【請求項５】
光学的情報に投光するための投光部と、前記光学的情報からの光によりこの光学的情報を画像情報として繰り返し取り込む撮像素子と、前記画像情報を復号化する復号化部と、前記撮像素子に取り込まれた前記画像情報の特定位置の画素データの総和と前記画素情報の前に取り込まれた画像情報の前記特定位置の画素データの総和との比が所定範囲を外れた場合に画像が変化したと検知する画像変化検知部と、前記画像変化検知部が画像が変化したと検知した場合に前記投光部の点灯制御を開始して前記復号化部が復号化を終了した後に点灯制御を終了する投光制御部とからなる光学的情報読取装置。
【請求項６】
光学的情報に投光するための投光部と、前記光学的情報からの光によりこの光学的情報を画像情報として繰り返し取り込む撮像素子と、前記画像情報を復号化する復号化部と、前記撮像素子に取り込まれた前記画像情報の特定位置の画素データの総和と前記画素情報の前に取り込まれた画像情報の前記特定位置の画素データの総和との比が所定範囲を外れた場合に画像が変化したと検知する画像変化検知部と、前記画像変化検知部が画像が変化したと検知した場合に前記投光部の点灯制御を開始して前記復号化部が復号化を終了した後に点灯制御を終了する投光制御部と、前記復号化部が復号化を終了した後に所定期間待機後に前記比較部において画像の比較を再開する比較待機部とからなる光学的情報読取装置。
【請求項７】
光学的情報に投光するための投光部と、前記光学的情報からの光によりこの光学的情報を画像情報として繰り返し取り込む撮像素子と、前記撮像素子に取り込まれた前記画像情報の特定位置の画素データの総和と前記画素情報の前に取り込まれた画像情報の前記特定位置の画素データの総和との比が所定範囲を外れた場合に画像が変化したと検知する画像変化検知部と、前記画像変化検知部が画像が変化したと検知した場合に前記投光部の点灯制御を開始する投光制御部と、前記光学的情報に基づく金額の受け取りを発行する受け取り発行部とからなる光学的情報読取装置。
【請求項８】
光学的情報に投光するための投光部と、前記光学的情報からの光によりこの光学的情報を画像情報として繰り返し取り込む撮像素子と、前記撮像素子に取り込まれた前記画像情報の特定位置の画素データの総和と前記画素情報の前に取り込まれた画像情報の前記特定位置の画素データの総和との比が所定範囲を外れた場合に画像が変化したと検知する画像変化検知部と、前記画像変化検知部が画像が変化したと検知した場合に前記投光部の点灯制御を開始する投光制御部とからなる光学的情報読取装置と、前記光学的情報読取装置と有線または無線で接続され前記光学的情報装置によって読み取られた光学的情報に基づく金額情報を非納入者に送信する端末とからなる納入情報送信システム。
【請求項９】
光学的情報に投光するための投光部と、前記光学的情報からの光によりこの光学的情報を画像情報として繰り返し取り込む撮像素子と、前記撮像素子に取り込まれた前記画像情報の特定位置の画素データの総和と前記画素情報の前に取り込まれた画像情報の前記特定位置の画素データの総和との比が所定範囲を外れた場合に画像が変化したと検知する画像変化検知部と、前記画像変化検知部が画像が変化したと検知した場合に前記投光部の点灯制御を開始する投光制御部とからなる光学的情報読取装置と、前記光学的情報読取装置と有線または無線で接続するための接続部と、前記光学的情報装置によって読み取られた光学的情報に基づく金額情報を非納入者に送信する送信部と、前記光学的情報に基づく金額の受け取りを発行する受け取り発行部とを有する端末からなる納入情報送信システム。
【発明の詳細な説明】
【０００１】
【発明の属する技術分野】
本発明は、２次元コード等の光学的情報を読み取る光学的情報読取装置とそれを用いた納入情報送信システムに関するものである。
【０００２】
【従来の技術】
従来の２次元コードリーダは、光学的情報すなわち紙に印刷された２次元コードや部品にマーキングされた２次元コードに照明光を投光し、光学的情報からの反射光をレンズ等の結像手段により撮像素子上に結像させ、結像された光学的情報の画像情報は撮像素子により電気信号に変換して、撮像素子が電気的に接続された回路基板により、電気信号化された画像情報を復号化する。
【０００３】
【発明が解決しようとする課題】
近年、２次元コードリーダを利用したシステムとして、インターネットを通じ送られてくる２次元コード付き請求内容を携帯電話機にダウンロードして携帯電話機の液晶画面に表示したものを、２次元コードリーダで読み取り、２次元コードの情報に基づく金額の支払いを行なうシステムが試みられている。この場合、携帯電話機の所有者自身が２次元コードリーダで２次元コードの読み取り操作を行なうため、２次元コードリーダは手持ち型ではなく据え置き型であり、携帯電話機の２次元コードを２次元コードリーダの読み取り窓にかざして読み取りを行なう。２次元コードリーダの読み取り口が上方を向いている場合、２次元コードを照明する照明光が常時点灯または常時点滅すると、照明光が２次元コードリーダの周りにいる人の視界に入る時、不快感を与える。
【０００４】
【課題を解決するための手段】
上記の課題を解決すべく、本発明の請求項１記載の光学的情報読取装置は、光学的情報に投光するための投光部と、前記光学的情報からの光によりこの光学的情報を画像情報として繰り返し取り込む撮像素子と、前記撮像素子に取り込まれた前記画像情報の全画素データの総和と前記画素情報の前に取り込まれた画像情報の全画素データの総和との比が所定範囲を外れた場合に画像が変化したと検知する画像変化検知部と、前記画像変化検知部が画像が変化したと検知した場合に前記投光部の点灯制御を開始する投光制御部とからなる。
【０００５】
また、本発明の請求項２記載の光学的情報読取装置は、全画素データの総和の比が所定範囲より大きい場合と、小さい場合で、投光制御部は異なった点灯制御を行なう。
【０００６】
また、本発明の請求項３記載の光学的情報読取装置は、光学的情報に投光するための投光部と、前記光学的情報からの光によりこの光学的情報を画像情報として繰り返し取り込む撮像素子と、前記撮像素子に取り込まれた前記画像情報の特定位置の画素データの総和と前記画素情報の前に取り込まれた画像情報の前記特定位置の画素データの総和との比が所定範囲を外れた場合に画像が変化したと検知する画像変化検知部と、前記画像変化検知部が画像が変化したと検知した場合に前記投光部の点灯制御を開始する投光制御部とからなる。
【０００７】
また、本発明の請求項４記載の光学的情報読取装置は、特定位置の画素データの総和の比が所定範囲より大きい場合と、小さい場合で、投光制御部は異なった点灯制御を行なう。
【０００８】
また、本発明の請求項５記載の光学的情報読取装置は、光学的情報に投光するための投光部と、前記光学的情報からの光によりこの光学的情報を画像情報として繰り返し取り込む撮像素子と、前記画像情報を復号化する復号化部と、前記撮像素子に取り込まれた前記画像情報の特定位置の画素データの総和と前記画素情報の前に取り込まれた画像情報の前記特定位置の画素データの総和との比が所定範囲を外れた場合に画像が変化したと検知する画像変化検知部と、前記画像変化検知部が画像が変化したと検知した場合に前記投光部の点灯制御を開始して前記復号化部が復号化を終了した後に点灯制御を終了する投光制御部とからなる。
【０００９】
また、本発明の請求項６記載の光学的情報読取装置は、光学的情報に投光するための投光部と、前記光学的情報からの光によりこの光学的情報を画像情報として繰り返し取り込む撮像素子と、前記画像情報を復号化する復号化部と、前記撮像素子に取り込まれた前記画像情報の特定位置の画素データの総和と前記画素情報の前に取り込まれた画像情報の前記特定位置の画素データの総和との比が所定範囲を外れた場合に画像が変化したと検知する画像変化検知部と、前記画像変化検知部が画像が変化したと検知した場合に前記投光部の点灯制御を開始して前記復号化部が復号化を終了した後に点灯制御を終了する投光制御部と、前記復号化部が復号化を終了した後に所定期間待機後に前記比較部において画像の比較を再開する比較待機部とからなる。
【００１０】
また、本発明の請求項７記載の光学的情報読取装置は、光学的情報に投光するための投光部と、前記光学的情報からの光によりこの光学的情報を画像情報として繰り返し取り込む撮像素子と、前記撮像素子に取り込まれた前記画像情報の特定位置の画素データの総和と前記画素情報の前に取り込まれた画像情報の前記特定位置の画素データの総和との比が所定範囲を外れた場合に画像が変化したと検知する画像変化検知部と、前記画像変化検知部が画像が変化したと検知した場合に前記投光部の点灯制御を開始する投光制御部と、前記光学的情報に基づく金額の受け取りを発行する受け取り発行部とからなる。
【００１１】
また、本発明の請求項８記載の納入情報送信システムは、光学的情報に投光するための投光部と、前記光学的情報からの光によりこの光学的情報を画像情報として繰り返し取り込む撮像素子と、前記撮像素子に取り込まれた前記画像情報の特定位置の画素データの総和と前記画素情報の前に取り込まれた画像情報の前記特定位置の画素データの総和との比が所定範囲を外れた場合に画像が変化したと検知する画像変化検知部と、前記画像変化検知部が画像が変化したと検知した場合に前記投光部の点灯制御を開始する投光制御部とからなる光学的情報読取装置と、前記光学的情報読取装置と有線または無線で接続され前記光学的情報装置によって読み取られた光学的情報に基づく金額情報を非納入者に送信する端末とからなる。
【００１２】
また、本発明の請求項９記載の納入情報送信システムは、光学的情報に投光するための投光部と、前記光学的情報からの光によりこの光学的情報を画像情報として繰り返し取り込む撮像素子と、前記撮像素子に取り込まれた前記画像情報の特定位置の画素データの総和と前記画素情報の前に取り込まれた画像情報の前記特定位置の画素データの総和との比が所定範囲を外れた場合に画像が変化したと検知する画像変化検知部と、前記画像変化検知部が画像が変化したと検知した場合に前記投光部の点灯制御を開始する投光制御部とからなる光学的情報読取装置と、前記光学的情報読取装置と有線または無線で接続するための接続部と、前記光学的情報装置によって読み取られた光学的情報に基づく金額情報を非納入者に送信する送信部と、前記光学的情報に基づく金額の受け取りを発行する受け取り発行部とを有する端末からなる。
【００１３】
【発明の実施の形態】
本発明第１の光学的情報読取装置によれば、撮像素子は光学的情報からの光によりこの光学的情報を画像情報として取り込み、撮像素子に取り込まれた画像情報の全画素データの総和と前に取り込まれた画像情報の全画素データの総和との比が所定範囲を外れた場合に画像が変化したと検知する画像変化検知部が画像が変化したと検知した場合に、投光制御部が投光部の光学的情報に投光するための点灯制御を開始する。
【００１４】
本発明第２の光学的情報読取装置によれば、撮像素子は光学的情報からの光によりこの光学的情報を画像情報として取り込み、撮像素子に取り込まれた画像情報の全画素データの総和と前に取り込まれた画像情報の全画素データの総和との比が所定範囲を外れた場合に画像が変化したと検知する画像変化検知部が画像が変化したと検知した場合に、投光制御部が投光部の光学的情報に投光するための点灯制御を開始することで、照明光が常時点灯あるいは常時点滅するものに比べ、無駄な照明を少なくして照明のための電力消費を下げ、照明光が常時点灯あるいは常時点滅することによる周りの人に与える不快感を軽減させる。また、データの総和の比が所定範囲より大きい場合と、小さい場合で、投光制御部は異なった点灯制御を行なう。
【００１５】
本発明第３の光学的情報読取装置によれば、撮像素子は光学的情報からの光によりこの光学的情報を画像情報として取り込み、撮像素子に取り込まれた画像情報の特定位置の画素データの総和と前に取り込まれた画像情報の前記特定位置の画素データの総和との比が所定範囲を外れた場合に画像が変化したと検知する画像変化検知部が画像が変化したと検知した場合に、投光制御部が投光部の光学的情報に投光するための点灯制御を開始する。
【００１６】
本発明第４の光学的情報読取装置によれば、撮像素子は光学的情報からの光によりこの光学的情報を画像情報として取り込み、撮像素子に取り込まれた画像情報の特定位置の画素データの総和と前に取り込まれた画像情報の前記特定位置の画素データの総和との比が所定範囲を外れた場合に画像が変化したと検知する画像変化検知部が画像が変化したと検知した場合に、投光制御部が投光部の光学的情報に投光するための点灯制御を開始する。照明光が常時点灯あるいは常時点滅するものに比べ、無駄な照明を少なくして照明のための電力消費を下げ、照明光が常時点灯あるいは常時点滅することによる周りの人に与える不快感を軽減させる。また、データの総和の比が所定範囲より大きい場合と、小さい場合で、投光制御部は異なった点灯制御を行う。
【００１７】
本発明第５の光学的情報読取装置によれば、撮像素子は光学的情報からの光によりこの光学的情報を画像情報として取り込み、撮像素子に取り込まれた画像情報の特定位置の画素データの総和と前に取り込まれた画像情報の前記特定位置の画素データの総和との比が所定範囲を外れた場合に画像が変化したと検知する画像変化検知部が画像が変化したと検知した場合に、投光制御部が投光部の光学的情報に投光するための点灯制御を開始して、復号化部が画像情報を復号化して復号化部が復号化を終了した後に点灯制御を終了する。
【００１８】
本発明第６の光学的情報読取装置によれば、撮像素子は光学的情報からの光によりこの光学的情報を画像情報として取り込み、撮像素子に取り込まれた画像情報の特定位置の画素データの総和と前に取り込まれた画像情報の前記特定位置の画素データの総和との比が所定範囲を外れた場合に画像が変化したと検知する画像変化検知部が画像が変化したと検知した場合に、投光制御部が投光部の光学的情報に投光するための点灯制御を開始して、復号化部が画像情報を復号化し、復号化部が復号化を終了した後に点灯制御を終了して所定期間待機後に前記比較部において画像の比較を再開する。
【００１９】
本発明第７の光学的情報読取装置によれば、本発明第７の光学的情報読取装置によれば、撮像素子は光学的情報からの光によりこの光学的情報を画像情報として取り込み、撮像素子に取り込まれた画像情報の特定位置の画素データの総和と前に取り込まれた画像情報の前記特定位置の画素データの総和との比が所定範囲を外れた場合に画像が変化したと検知する画像変化検知部が画像が変化したと検知した場合に、投光制御部が投光部の光学的情報に投光するための点灯制御を開始する。
【００２０】
本発明第８の納入情報送信システムによれば、光学的情報読取装置は、撮像素子が光学的情報からの光によりこの光学的情報を画像情報として取り込み、撮像素子に取り込まれた画像情報の特定位置の画素データの総和と前に取り込まれた画像情報の前記特定位置の画素データの総和との比が所定範囲を外れた場合に画像が変化したと検知する画像変化検知部が画像が変化したと検知した場合に、投光制御部が投光部の光学的情報に投光するための点灯制御を開始して、照明光が常時点灯あるいは常時点滅するものに比べ、無駄な照明を少なくして照明のための電力消費を下げ、照明光が常時点灯あるいは常時点滅することによる周りの人に与える不快感を軽減させ、端末は光学的情報読取装置と有線または無線で接続され光学的情報装置によって読み取られた光学的情報に基づく金額情報を非納入者に送信する。
【００２１】
本発明第９の納入情報送信システムによれば、光学的情報読取装置は、撮像素子が光学的情報からの光によりこの光学的情報を画像情報として取り込み、撮像素子に取り込まれた画像情報の特定位置の画素データの総和と前に取り込まれた画像情報の前記特定位置の画素データの総和との比が所定範囲を外れた場合に画像が変化したと検知する画像変化検知部が画像が変化したと検知した場合に、投光制御部が投光部の光学的情報に投光するための点灯制御を開始して、照明光が常時点灯あるいは常時点滅するものに比べ、無駄な照明を少なくして照明のための電力消費を下げ、照明光が常時点灯あるいは常時点滅することによる周りの人に与える不快感を軽減させ、端末は光学的情報読取装置と有線または無線で接続され光学的情報装置によって読み取られた光学的情報に基づく金額情報を非納入者に送信することができ、光学的情報に基づく金額の受け取りを発行する。
【００２２】
以下、本発明の第１の実施形態における光学的情報読取装置について、図面を用いて説明する。
【００２３】
図１は本発明の一実施形態の外観を示す斜視図である。図２は本発明の一実施形態の内部構造を示す図１の断面線ａ−ａにおける断側面図である。図３は本発明の一実施形態の内部構造を示す図１の断面線ｂ−ｂにおける断側面図である。
【００２４】
光学的情報読取装置１は、外装ケース２の上部に、２次元コード等の光学的情報３を読み取るための読取窓４と読み取りの正否を表示する読取正否表示窓５を備え、外装ケース２の後方部に光学的情報３からのデータを端末６に転送するためのケーブル７を配置している。外装ケース２の内部には、光学的情報３に光を照射する投光部として光源となる発光色が白色の照明用白色発光ダイオード８と端面に一列に並んだ照明用発光ダイオード８からの光を伝搬して進む中で面光源に変換する導光板９と、光学的情報３からの光を反射して光路を変える反射ミラー１０と、反射ミラー１０を介して受光した光学的情報３からの光を結像する結像手段としてのレンズ１１と、レンズ１１の結像位置に配置しマトリックス状に配列した受光素子を持ち結像された光学的情報３の画像情報を検出して電気信号に変換する撮像素子１２と、撮像素子１２と電気的に接続して画像情報を変換した電気信号に対し復号化して、ケーブル７を介して復号化したデータを端末６に転送する回路基板１３が組み込まれている。
【００２５】
図４は端末６を示す説明図である。端末６はキャッシュレジスターであり、光学的情報読取装置１とケーブル７を介し接続部で接続されており、プリンタ部１４を有し、また電話回線とも接続されて外部のホストコンピュータと通信を行なう。
【００２６】
図５は上記光学的情報読取装置１の電気的構成を概略的に示す構成図である。撮像素子１２はＣＭＯＳエリアセンサであり増幅回路とＡ／Ｄ変換回路を内蔵し、２次元画像情報をデジタル信号に変換して出力する。回路基板１３はＣＰＵとＲＯＭとＲＡＭ等からなる制御回路１５と、画像データを格納する画像メモリ１６と、照明用発光ダイオード８を点灯させる照明駆動回路１７と、読取正否表示用発光ダイオード１８を点灯させる正否表示駆動回路１９と、端末６との通信を行なう通信インターフェース回路２０と、電源回路２１等から構成される。
【００２７】
このような構成において、インターネットを通じ送られてくる２次元コード３付き請求内容をダウンロードした携帯電話機２２を液晶画面２３にこの２次元コード３を表示して図６に示すように投光部が消灯した状態の光学的情報読取機１の読取窓４にかざす。
【００２８】
図７は処理の流れを概略的に示すフローチャート図である。撮像素子１２は制御回路１５からの画像検出開始信号が繰り返し出力される度に画像情報を検出してデジタル信号として出力し、画像メモリ１６の画像データはその度に書き換えられる。
【００２９】
図８は携帯電話機をかざす前の画像データを示す説明図である。光学的情報読取装置１の読取窓４は上方を向いており検出される画像は天井の比較的明るい画像である。
【００３０】
図９は、図８の画像データを取得した次に取得された携帯電話機をかざしたときの画像データを示す説明図である。携帯電話機２２が光を遮る部分が暗く検出され、液晶画面２３の部分だけは携帯電話機２２のバックライトにより明るく、表示された２次元コード３も画像として検出される。制御回路１５はプログラムに従い画像メモリ１６の画像データについて所定のアドレスのデータ値の総和値を算出して記憶する。総和値を前回記憶した総和値で割り、比をとることで画像情報の明るさの比較を行ない、この比が所定範囲を超えた時、例えば、所定範囲を０．８から１．２とし、比が０．８以下で暗く変化したと検知し、１．２以上で明るく変化したと検知して、復号化処理と照明用発光ダイオード８の点灯制御を開始する。図８と図９において、所定のアドレスである画像の中央部（イ）の１００個のポイントの画像データ値の総和値を算出する。例えば、図８の総和値を図９の総和値で割った比は０．４３であると、明るさは暗く変化したと判断され、復号化処理と照明用発光ダイオード８の点灯制御を開始する。画像情報の明るさを比較する所定のアドレスの数や位置、また、明るさを検知するための比の所定範囲は制御回路１５に通信インターフェース回路２０を通じ変更設定可能である。
【００３１】
復号化処理は、制御回路１５がプログラムに従い、まず画像メモリ１６の画像データについて２値化すなわち明と暗の２値に変換し、次にこの２値データをもとに切り出しすなわち２次元コードを背景から分離して位置を特定し、最後に２次元画像の２値データを復号化する。この復号化処理に失敗すると制御回路１５は再び画像検出開始信号を撮像素子１６に出力して撮像素子１６が画像情報を検出してデジタル信号として出力し、画像メモリ１６の画像データを書き換え、復号化処理を行なう。
【００３２】
制御回路１５は、また、撮像素子１６が画像情報を収集している間、照明駆動回路１７を介して照明用発光ダイオード８を点灯させる。一列に並んだ照明用発光ダイオード８からの光は、導光板９の中を伝搬して進み射出面から光学的情報すなわち２次元コード３に対して均一照射される。
【００３３】
尚、図２と図３に示すように、読取窓４の近傍に読取窓と平行に置かれた携帯電話機２２の液晶画面２３のような平滑な平面に対し、レンズ１１の視野（ロ）の液晶画面２３に対する反射位置にある視野（ハ）は、略、導光板９の射出面を通過するように、導光板９、読取窓４、反射ミラー１０、レンズ１１、撮像素子１２は配置してある。
【００３４】
導光板９の射出面からの照明光は読取面すなわち携帯電話機の液晶画面２３でレンズ１１の視野の略全域に対し均一に照射され、拡散されずに反射しやすい液晶画面２３の表面に対しても輝度ばらつきの少ない照明となる。
【００３５】
携帯電話機２２の液晶画面２３のバックライトが消えているとき、また輝度の足りないものでも、この照明光の投光により読取を可能とする。投光部の点灯と画像検出と復号化処理は、撮像素子１２の露光時間と撮像素子１２の出力信号の増幅率を変えながら繰り返される。この繰り返しのなかで、撮像素子１２が画像情報を収集している間に投光部を点灯せず、携帯電話機２２のバックライトの光だけで２次元コード３の画像の検出をすることは可能であり、撮像素子１２が画像情報を収集している間に投光部を点灯して２次元コード３の画像の検出をすることとの割合は制御回路１５により設定されている。
【００３６】
また、この制御回路１５による画像取得時の投光部の点灯と消灯の割合や、撮像素子１２の露光時間と出力信号の増幅率変更の制御方法は、明るさ変化の検知の情報、すなわち、復号化処理に入る前の画像データの所定のアドレスのデータ値の総和値や、この総和値を前回の総和値で割った比を用いて決めることもできる。例えば、比が０．８以下の場合は明るさが暗く変化していることから、投光部を点灯して画像取得する割合を投光部を消灯して画像取得する割合より多くするように点灯制御して、撮像素子１２の露光時間と増幅率の制御パターンも投光部の点灯制御に対応して変える。
【００３７】
明るさ変化検知の情報を投光部の点灯と消灯の割合や撮像素子１２の露光時間と出力信号の増幅率の制御を決めることで、より適切な明るさの画像を取得しやすくなる。投光部の点灯と画像検出と読取処理の繰り返しは、復号化に成功すると終了して、読取正否表示用発光ダイオード１８を点灯させて復号化したデータを通信インターフェース回路２０によりケーブル７を介して端末６の接続部に転送する。
【００３８】
また、投光部の点灯と画像検出と復号化処理の繰り返しが所定回数を超えた時、または所定時間を超えた時は、投光部の点灯制御と画像検出と復号化処理を終了する。この投光部の点灯制御と画像検出と復号化処理の終了後、所定時間経過後、制御回路１５は画像検出開始信号を出力し撮像素子１２による画像情報の取得を開始して、画像データの所定のアドレスのデータ値の総和値を算出して記憶し、次に再度、画像情報を繰り返し取得して、算出した総和値と前回記憶した総和値の比をとることで、明るさ変化の検知処理再開する。
【００３９】
復号化に成功したデータは、例えば、ガスや電気や電話の使用料金の請求内容であり、キャッシュレジスターである端末６は、その納入者氏名、使用量、請求金額等の内容を表示部２４に表示してそれに基づく金額を受け取り、その受け取りをプリンタ部１４で発行し、電話回線を通じ、非納入者のホストコンピュータにその内容を送信する。
【００４０】
以下、本発明の第２の実施形態における光学的情報読取装置について、図面を用いて説明する。
【００４１】
図１０は、本発明の一実施形態を示す斜視図である。光学的情報読取装置２５は、表示部２６とプリンタ部２７を有し、また電話回線とも接続されて外部のホストコンピュータと通信を行なう。例えば、インターネットを通じ送られてくる２次元コード付き請求内容をダウンロードした携帯電話機２９を液晶画面にこの２次元コードを表示して読取窓３０にかざす。画像情報の検出、画像情報の比較、投光部の点灯、復号化処理に関する構成と手順は、第１の実施形態と同じである。復号化に成功したデータは、例えば、納入者氏名、使用量、請求金額等であり、その内容を表示部２６に表示してそれに基づく金額を受け取り、その受け取りをプリンタ部２７で発行し、電話回線を通じ、非納入者のホストコンピュータにその内容を送信する。
【００４２】
【発明の効果】
以上の実施形態から明らかなように、本発明第１の光学的情報読取装置によれば、撮像素子は光学的情報からの光によりこの光学的情報を画像情報として取り込み、撮像素子に取り込まれた画像情報の全画素データの総和と前に取り込まれた画像情報の全画素データの総和との比が所定範囲を外れた場合に画像が変化したと検知する画像変化検知部が画像が変化したと検知した場合に、投光制御部が投光部の光学的情報に投光するための点灯制御を開始する。照明光が常時点灯あるいは常時点滅するものに比べ、無駄な照明を少なくして照明のための電力消費を下げ、照明光が常時点灯あるいは常時点滅することによる周りの人に与える不快感を軽減させる。
【００４３】
本発明第２の光学的情報読取装置によれば、撮像素子は光学的情報からの光によりこの光学的情報を画像情報として取り込み、撮像素子に取り込まれた画像情報の全画素データの総和と前に取り込まれた画像情報の全画素データの総和との比が所定範囲を外れた場合に画像が変化したと検知する画像変化検知部が画像が変化したと検知した場合に、投光制御部が投光部の光学的情報に投光するための点灯制御を開始することで、照明光が常時点灯あるいは常時点滅するものに比べ、無駄な照明を少なくして照明のための電力消費を下げ、照明光が常時点灯あるいは常時点滅することによる周りの人に与える不快感を軽減させる。また、データの総和の比が所定範囲より大きい場合と、小さい場合で、投光制御部は異なった点灯制御を行なうことで、より適切な明るさの画像を取得しやすくする。
【００４４】
本発明第３の光学的情報読取装置によれば、撮像素子は光学的情報からの光によりこの光学的情報を画像情報として取り込み、撮像素子に取り込まれた画像情報の特定位置の画素データの総和と前に取り込まれた画像情報の前記特定位置の画素データの総和との比が所定範囲を外れた場合に画像が変化したと検知する画像変化検知部が画像が変化したと検知した場合に、投光制御部が投光部の光学的情報に投光するための点灯制御を開始する。照明光が常時点灯あるいは常時点滅するものに比べ、無駄な照明を少なくして照明のための電力消費を下げ、照明光が常時点灯あるいは常時点滅することによる周りの人に与える不快感を軽減させる。
【００４５】
本発明第４の光学的情報読取装置によれば、撮像素子は光学的情報からの光によりこの光学的情報を画像情報として取り込み、撮像素子に取り込まれた画像情報の特定位置の画素データの総和と前に取り込まれた画像情報の前記特定位置の画素データの総和との比が所定範囲を外れた場合に画像が変化したと検知する画像変化検知部が画像が変化したと検知した場合に、投光制御部が投光部の光学的情報に投光するための点灯制御を開始する。照明光が常時点灯あるいは常時点滅するものに比べ、無駄な照明を少なくして照明のための電力消費を下げ、照明光が常時点灯あるいは常時点滅することによる周りの人に与える不快感を軽減させる。また、データの総和の比が所定範囲より大きい場合と、小さい場合で、投光制御部は異なった点灯制御を行なうことで、より適切な明るさの画像を取得しやすくする。
【００４６】
本発明第５の光学的情報読取装置によれば、撮像素子は光学的情報からの光によりこの光学的情報を画像情報として取り込み、撮像素子に取り込まれた画像情報の特定位置の画素データの総和と前に取り込まれた画像情報の前記特定位置の画素データの総和との比が所定範囲を外れた場合に画像が変化したと検知する画像変化検知部が画像が変化したと検知した場合に、投光制御部が投光部の光学的情報に投光するための点灯制御を開始して、復号化部が画像情報を復号化して復号化部が復号化を終了した後に点灯制御を終了する。照明光が常時点灯あるいは常時点滅するものに比べ、無駄な照明を少なくして照明のための電力消費を下げ、照明光が常時点灯あるいは常時点滅することによる周りの人に与える不快感を軽減させる。
【００４７】
本発明第６の光学的情報読取装置によれば、撮像素子は光学的情報からの光によりこの光学的情報を画像情報として取り込み、撮像素子に取り込まれた画像情報の特定位置の画素データの総和と前に取り込まれた画像情報の前記特定位置の画素データの総和との比が所定範囲を外れた場合に画像が変化したと検知する画像変化検知部が画像が変化したと検知した場合に、投光制御部が投光部の光学的情報に投光するための点灯制御を開始して、復号化部が画像情報を復号化し、復号化部が復号化を終了した後に点灯制御を終了して所定期間待機後に前記比較部において画像の比較を再開するする。照明光が常時点灯あるいは常時点滅するものに比べ、無駄な照明を少なくして照明のための電力消費を下げ、照明光が常時点灯あるいは常時点滅することによる周りの人に与える不快感を軽減させる。所定期間待機することで読取後に光学的情報が読取装置から離れる時の画像の変化を検出して再び投光することをなりにくくして、さらに無駄な照明を少なくする。
【００４８】
本発明第７の光学的情報読取装置によれば、撮像素子は光学的情報からの光によりこの光学的情報を画像情報として取り込み、撮像素子に取り込まれた画像情報の特定位置の画素データの総和と前に取り込まれた画像情報の前記特定位置の画素データの総和との比が所定範囲を外れた場合に画像が変化したと検知する画像変化検知部が画像が変化したと検知した場合に、投光制御部が投光部の光学的情報に投光するための点灯制御を開始して、照明光が常時点灯あるいは常時点滅するものに比べ、無駄な照明を少なくして照明のための電力消費を下げ、照明光が常時点灯あるいは常時点滅することによる周りの人に与える不快感を軽減させ、また、光学的情報に基づく金額の受け取りを発行することができる。
【００４９】
本発明第８の納入情報送信システムによれば、光学的情報読取装置は、撮像素子が光学的情報からの光によりこの光学的情報を画像情報として取り込み、撮像素子に取り込まれた画像情報の特定位置の画素データの総和と前に取り込まれた画像情報の前記特定位置の画素データの総和との比が所定範囲を外れた場合に画像が変化したと検知する画像変化検知部が画像が変化したと検知した場合に、投光制御部が投光部の光学的情報に投光するための点灯制御を開始して、照明光が常時点灯あるいは常時点滅するものに比べ、無駄な照明を少なくして照明のための電力消費を下げ、照明光が常時点灯あるいは常時点滅することによる周りの人に与える不快感を軽減させる。端末は光学的情報読取装置と有線または無線で接続され光学的情報装置によって読み取られた光学的情報に基づく金額情報を非納入者に送信することができる。
【００５０】
本発明第９の納入情報送信システムによれば、光学的情報読取装置は、撮像素子が光学的情報からの光によりこの光学的情報を画像情報として取り込み、撮像素子に取り込まれた画像情報の特定位置の画素データの総和と前に取り込まれた画像情報の前記特定位置の画素データの総和との比が所定範囲を外れた場合に画像が変化したと検知する画像変化検知部が画像が変化したと検知した場合に、投光制御部が投光部の光学的情報に投光するための点灯制御を開始して、照明光が常時点灯あるいは常時点滅するものに比べ、無駄な照明を少なくして照明のための電力消費を下げ、照明光が常時点灯あるいは常時点滅することによる周りの人に与える不快感を軽減させる。端末は光学的情報読取装置と有線または無線で接続され光学的情報装置によって読み取られた光学的情報に基づく金額情報を非納入者に送信することができ、光学的情報に基づく金額の受け取りを発行することができる。
【図面の簡単な説明】
【図１】本発明の実施の形態の光学的情報読取の外観を示す斜視図
【図２】本発明の実施の形態の光学的情報読取の内部構造を概略的に示す図１の断面線ａ−ａにおける断面図
【図３】本発明の実施の形態の光学的情報読取の内部構造を概略的に示す図１の断面線ｂ−ｂにおける断面図
【図４】本発明の実施の形態の端末を示す説明図
【図５】本発明の実施の形態の光学的情報読取装置の電気的構成を概略的に示す構成図
【図６】本発明の実施の形態の操作の状態を説明する説明図
【図７】本発明の実施の形態の処理の流れを概略的に示すフローチャート
【図８】本発明の実施の形態の画像データを説明する説明図
【図９】本発明の実施の形態の画像データを説明する説明図
【図１０】本発明の実施の形態の光学的情報読取装置の外観を示す斜視図
【符号の説明】
１　光学的情報読取装置
３　光学的情報
４　読取窓
６　端末
７　ケーブル
８　発行ダイオード
９　導光板
１０　反射ミラー
１１　レンズ
１２　撮像素子
１３　回路基板
１５　制御回路
１６　画像メモリー
２７　プリンタ部
【図１】
2004005369.tif 000003
【図２】
2004005369.tif 000004
【図３】
2004005369.tif 000005
【図４】
2004005369.tif 000006
【図５】
2004005369.tif 000007
【図６】
2004005369.tif 000008
【図７】
2004005369.tif 000009
【図８】
2004005369.tif 000010
【図９】
2004005369.tif 000011
【図１０】
2004005369.tif 000012